(57)【要約】      （修正有）【課題】製作が容易で、開封した蓋部を一定の強度で簡易的に再封できる包装箱を提供する。【解決手段】開封用側面板１８は、底蓋部側の開封用端辺５８の内側に、開封用端辺と略Ｕ字状の開封用破断線６２とで囲まれた開封部６４を備える。開封部６４は、開封用端辺側の端部が他の部分より幅狭に形成され、開封用端辺の位置に、開封用破断線で区切られた一対の内向き突起部６５ａ，６５ｂが設けられる。開封用破断線は、一対のＬ字状切目６２ａ，６２ｂを有し、破断させた状態で、開封部の幅方向の両縁部に外向き突起部が一対に形成される。この外向き突起部を内向き突起部６５ａ，６５ｂに係合させることにより、再封する。【選択図】図２
0003200022.tif 000002
【実用新案登録請求の範囲】
【請求項１】
一枚のブランクシートから一体的に打ち抜かれた箱体形成片から成り、この箱体形成片は、側面板と蓋部を形成するための蓋片とを有し、
前記側面板の中の１つである開封用側面板は、前記蓋部側の端辺である開封用端辺の内側に、前記開封用端辺と略Ｕ字状の開封用破断線とで囲まれた開封部が設けられ、
前記開封部は、前記開封用端辺側の端部が他の部分より幅狭に形成され、前記開封用側面板の前記開封用端辺の位置に、前記開封用破断線で区切られた内向き突起部が一対に設けられ、
前記開封用破断線は、使用者が前記開封用破断線を破断させた状態で、前記開封部の幅方向の両縁部に外向き突起部が一対に形成されるように設けられ、
組み立てた状態で、前記側面板により筒体が形成され、前記筒体の前記開封用端辺側の開口端が前記蓋部により閉鎖され、
使用者が前記開封部を押し込んで前記開封用破断線を破断させ、前記蓋部を引き上げて前記第一の端片から離間させて開封した状態で、前記開封用側面板から切り離された前記開封部が前記蓋部に連続し、前記開封部に形成された前記一対の外向き突起部の先端部同士の間隔が、前記一対の内向き突起部の基端部同士の間隔よりも長く、前記開封部に形成された前記一対の外向き突起部を前記一対の内向き突起部に係合させることにより、前記蓋部を再封可能としてことを特徴とする再封可能な包装箱。
【請求項２】
前記開封用破断線は、少なくとも前記一対の内向き突起部の近傍に一対のＬ字状切目を有し、前記Ｌ字状切目は、前記開封部の輪郭と略平行な平行部分と、前記平行部分の端部から外向きの角度に延びる屈曲部分とで成り、前記平行部分と前記屈曲部分とが互いに鈍角に交わるよう設けられ、前記一対のＬ字状切目の前記屈曲部分によって前記一対の外向き突起部が形成される請求項１記載の再封可能な包装箱。
【請求項３】
前記一対の外向き突起部は、前記開封用破断線の切り残し部により発生するバリにより形成される請求項１記載の再封可能な包装箱。
【考案の詳細な説明】
【技術分野】
【０００１】
本考案は、開封した蓋部を簡易的に再封することができる包装箱に関する。
【背景技術】
【０００２】
従来、例えば特許文献１に開示されているように、略直方体の箱体であって、前板の上縁部に、蓋部と連続する開封片が、開封切断線により切り込み可能に設けられ、開封片を押し込んで、蓋部を引き上げることによって開封することができる易開封密封カートンがあった。前記開封片の形状は半円形よりも大きい円弧状であり、開封すると、開封片が抜けた前板の上縁部に、内向き突起部が一対に形成される。したがって、開封した蓋部を閉じ、開封片を前板の穴（開封片が抜けた穴）に差し込み、開封片の幅広の部分を一対の内向き突起部に係合させることにより、蓋部を再封することができる。また、開封切断線を、同間隔の二重の半切れ線にする技術も記載されている。
【先行技術文献】
【特許文献】
【０００３】
【特許文献１】特開２００４−７５０８０号公報
【考案の概要】
【考案が解決しようとする課題】
【０００４】
しかし、特許文献１の易開封密封カートンは、開封部の形状と前板の穴の形状とが同じなので、開封部と一対の内向き突起との係合が非常に弱く、再封状態が保持されにくいものである。この開封部は、箱体が正確な直方体に近づくとほとんど係合しなくなり、反対に、箱体の変形や歪みが大きいと、開封部の幅広の部分が内向き突起に係合できるようになるため、係合が強くなる。したがって、例えば、前板を外向きに湾曲させる等して箱体を意図的に変形させれば、一定の係合強度を得ることができる。しかし、箱体の変形を大きくすると見栄えが悪くなるので、あまり好ましい方法とは言えない。また、開封切断線を二重の半切れ線にすることで、箱体の変形が小さくても一定の係合強度が得られるが、易開封密封カートンを製作する工場で、基材に半切れ線を設けるための加工工程が増えてしまい、コストアップの原因となる。
【０００５】
本考案は、上記背景技術に鑑みて成されたものであり、製作が容易で、開封した蓋部を一定の強度で簡易的に再封できる包装箱を提供することを目的とする。
【課題を解決するための手段】
【０００６】
本考案は、一枚のブランクシートから一体的に打ち抜かれた箱体形成片から成り、この箱体形成片は、側面板と蓋部を形成するための蓋片とを有し、前記側面板の中の１つである開封用側面板は、前記蓋部側の端辺である開封用端辺の内側に、前記開封用端辺と略Ｕ字状の開封用破断線とで囲まれた開封部が設けられ、前記開封部は、前記開封用端辺側の端部が他の部分より幅狭に形成され、これにより、前記開封用側面板の前記開封用端辺の位置に、前記開封用破断線で区切られた内向き突起部が一対に設けられ、前記開封用破断線は、使用者が前記開封用破断線を破断させたとき、前記開封部の幅方向の両縁部に外向き突起部が一対に形成されるように設けられ、
組み立てた状態で、前記側面板により筒体が形成され、前記筒体の前記開封用端辺側の開口端が前記蓋部により閉鎖され、使用者が前記開封部を押し込んで前記開封用破断線を破断させ、前記蓋部を引き上げて前記第一の端片から離間させて開封した状態で、前記開封用側面板から切り離された前記開封部が前記蓋部に連続し、前記開封部に形成された前記一対の外向き突起部の先端部同士の間隔が、前記一対の内向き突起部の基端部同士の間隔よりも長く、前記開封部に形成された前記一対の外向き突起部を前記一対の内向き突起部に係合させることにより、前記蓋部を再封できる再封可能な包装箱である。
【０００７】
前記開封用破断線は、少なくとも前記一対の内向き突起部の近傍に一対のＬ字状切目を有し、前記Ｌ字状切目は、前記開封部の輪郭と略平行な平行部分と、前記平行部分の端部から外向きの角度に延びる屈曲部分とで成り、前記平行部分と前記屈曲部分とが互いに鈍角に交わるよう設けられ、前記一対のＬ字状切目の前記屈曲部分によって前記一対の外向き突起部が形成される。特に、前記一対の外向き突起部は、前記開封用破断線の切り残し部により発生するバリにより形成される。
【考案の効果】
【０００８】
本考案の再封可能な包装箱は、半切り線を設ける等の特別な加工が不要な構造であり、組み立て易く包装の作業性もよいものである。また、開封の操作が容易で、開封した蓋部を簡易的に再封することができ、しかも再封状態が保持されやすいものである。
【図面の簡単な説明】
【０００９】
【図１】本考案の再封可能な包装箱の一実施形態の組み立て状態を示す図であって、天蓋部が見える角度の斜視図（ａ）、底蓋部が見える角度の斜視図（ｂ）である。
【図２】この実施形態の包装箱の箱体形成片の裏面側を示す展開図（ａ）、開封部の周辺を拡大した図（ｂ）である。
【図３】図２の箱体形成片の組み立て工程を示す図（ａ），（ｂ），（ｃ）である。
【図４】図２の箱体形成片の組み立て工程を示す図（ａ），（ｂ），（ｃ）である。
【図５】この実施形態の包装箱の底蓋部を開封した状態を示す斜視図（ａ）、再封した状態を示す斜視図（ｂ）である。
【図６】図５（ｂ）における開封部の外向き突起部と開封用側面板の内向き突起部とが係合している状態を示す斜視図である。
【考案を実施するための形態】
【００１０】
以下、本考案の再封可能な包装箱の一実施形態について、図面に基づいて説明する。この実施形態の包装箱１０は、図１に示すように、略直方体の箱体であり、厚紙等の一枚のブランクシートを一体的に打ち抜いた箱体形成片１２を組み立てることによって形成される。
【００１１】
図２（ａ）、（ｂ）は、箱体形成片１２を裏面から見た図であり、箱体形成片１２は、互いに平行に連接された４つの側面板１４，１６，１８，２０を有している。４つの側面板１４，１６，１８，２０は、連接方向と直交する幅方向の長さが同じであり、連接方向の長さは側面板１４，１８が長くて互いにほぼ等しく、側面板１６，２０が短くて互いにほぼ等しい。側面板１４側の端部には、包装用箱１０の組み立て状態で側面板２０の端部の裏面に糊付けされる糊付け片２２が設けられている。糊付け片２２、４つの側面板１４，１６，１８，２０は、各々折罫線２４，２６，２８，３０で区切られている。以下、側面板１８を、開封用側面板１８と称する。
【００１２】
側面板１４の、連接方向に対して直角方向の一端部には、略矩形の天蓋片３２が延設され、折罫線３４で側面板１４と区切られている。天蓋片３２の延出方向長さは、側面板１６，２０の連接方向長さとほぼ同じである。天蓋片３２の、折罫線３４と反対側の端部には、差し込み片３６が延設され、折罫線３８で天蓋片３２と区切られて設けられている。また、側面板１４の他端部には、ほぼ天蓋片３２と同形の外側底蓋片４０が延設され、折罫線４２で側面板１４と区切られている。
【００１３】
側面板１６の、側面板１４の折罫線３４に連続する端部には、サイドフラップ４４が延設され、折罫線４６で側面板１６と区切られている。側面板１６の他端部には、サイドフラップ４８が延設され、折罫線５０で側面板１６と区切られている。
【００１４】
開封用側面板１８の、側面板１６の折罫線４６に連続する端辺５２の内側には、開封時に指で押圧可能な大きさの押圧部５４が設けられている。押圧部５４は、端辺５２の中央部とＵ字状の破断線５６に囲まれて周囲と区切られている。また、開封用側面板１８の下端部である開封用端辺５８には、外側底蓋片４０より僅かに小さい内側底蓋片６０が延設されている。
【００１５】
開封用側面板１８の下端部には、開封用端辺５８の内側に、指で押圧可能な大きさの開封部６４が設けられている。開封部６４は、開封用端辺５８の中央部と略Ｕ字状の開封用破断線６２とで囲まれており、開封用端辺５８側の端部が他の部分より幅狭に形成され、これにより、開封用側面板１８の開封用端辺５８の位置に、開封用破断線６２で区切られた内向き突起部６５ａ，６５ｂが一対に設けられている。
【００１６】
また、開封用破断線６２は、一対の内向き突起部６５ａ，６５ｂの近傍に、一対のＬ字状切目６２ａ，６２ｂを有している。Ｌ字状切目６２ａは、切り残し部を有して開封部６４の輪郭と略平行な平行部分と、平行部分の端部から外向きの角度に延びる屈曲部とで成り、平行部分と屈曲部分とが互いに鈍角に交わるよう設けられている。他方のＬ字状切目６４ｂも同様である。開封用破断線６２を構成するその他の切目は、いわゆるミシン目であり、開封部６４の輪郭と略平行な部分だけを有している。
【００１７】
開封用側面板１８の開封部６４と内側底蓋片６０とを区切る位置には折罫線５８ａが設けられ、開封用側面板１８の他の部分と内側底蓋片６０とを区切る位置にはミシン目状の破断線５８ｂが設けられている。
【００１８】
側面板２０の、開封用側面板１８の端辺５２に連続する端部には、サイドフラップ６６が延設され、折罫線６８で側面板２０と区切られている。側面板２０の他端部には、サイドフラップ７０が延設され、折罫線７２で側面板１８と区切られている。
【００１９】
次に、再封可能な包装箱１０の組み立て方法の一例を説明する。ここで、箱体形成片１２の表面が凸になる折り方を正折り、そして裏面が凸になる折り方を逆折りと称する。
【００２０】
まず、折罫線２４を正折して、糊付け片２２を側面板１４に重ね、糊付け片２２の表面に糊を塗布する。そして、折罫線２８を正折りして、側面板２０の裏面の端部を糊付け片２２の表面に糊付けする。箱体形成片１２は、この折り畳まれた状態で出荷される。
【００２１】
次に商品を収容して包装する工場等において、折罫線２４，２６，２８，３０を各々９０°に正折りし、四角形の筒体を形成する。その後、筒体の一端部を塞ぐ底蓋を設けるため、図３（ａ）、（ｂ）、（ｃ）に順に示すように、折罫線５０，５２でサイドフラップ４８，７０を各々９０°に正折りし、開封用端辺５８（折罫線５８ａ、開封用破断線５８ｂ）で内側底蓋片６０を９０°に正折りする。その後、外側底蓋片４０のほぼ中央部に糊７６を塗布し、折罫線４２で外側底蓋片４０を９０°に正折りし、外側底蓋片４０の裏面を内側底蓋片６０の表面に糊付し、外側底蓋片４０と内側底蓋片６０が一体になった底蓋部７４が形成される。これで筒体に一端部が閉鎖されたので、開放している他端部から箱体の中に商品を入れる。
【００２２】
次に、図４（ａ）、（ｂ）、（ｃ）に順に示すように、折罫線４６，６８でサイドフラップ４４，６６を各々９０°に正折りし、差し込み片３６の表面中央部に糊７８を塗布する。そして、折罫線３４で天蓋片３２を９０°に正折りし、折罫線３８で差し込み片３６を９０°に正折りし、差し込み片３６を開封用側面板１８の内側に差し込み、糊７８により押圧部５４の裏面に糊付けすし、天蓋片３２で成る天蓋部８０により、箱体の他端部も閉鎖される。これで商品の包装作業が終了して図１（ａ）、（ｂ）に示す組み立て状態となり、この状態で商品が出荷され、商店等で販売される。なお、商品を入れる順序は、天蓋片３２側を先に組み立てた後、商品を挿入して、外側底蓋片４０を閉じても良い。
【００２３】
再封可能な包装箱１０は、図１に示すように、天蓋部８０側と底蓋部７４側のそれぞれに、開封及び再封を行う構造が設けられている。商品を購入した使用者は、商品の出し入れについては、天蓋部８０側で行う。底蓋部７４側は、例えば、箱体を折り畳んで廃棄するために開封したが、事情が変わってもうしばらく使用しなければならなくなったとき等に、底蓋部７４を簡易的に再封するために使用する。本考案の要部は、底蓋部７４側の構造である。
【００２４】
使用者が天蓋部８０側を開封するときは、開封用側面板１８の押圧部５４を指で押して破断線５６を破断させ、押圧部５４を開封用側面板１８から分離させる。そして、差し込み片３６及び天蓋片３２を引き上げると、天蓋部８０で塞がれていた箱体の端部が開放し、中の商品を取り出すことができる。押圧部５４は、開封用側面板１８から分離するが、差し込み片３６に糊付けされているのでゴミにはならない。
【００２５】
開封した天蓋部８０側を再封するときは、サイドフラップ４４，４６を９０°に正折りし、天蓋片３２を９０°に正折りし、差し込み片３６をサイドフラップ４４，４６と開封用側面板１８との隙間に差し込んで係合させ、箱体の端部を閉鎖する。差し込み片３６の先端部の形状は、両角をとって差し込みやすくしておくのが好ましい。また、差し込み片３６の折罫線３８の両端部に切り込みを設けておけば、再封した状態で、この切り込みにサイドフラップ４４，４６が引っ掛かって強く係合し、差し込み片３６が抜けにくくすることができる。
【００２６】
次に、使用者が底蓋部７４側を開封するときは、開封用側面板１８の開封部６４を指で押して開封用破断線６２を破断させ、開封部６４を開封用側面板１８から分離させる。そして、開封部６４及び底蓋部７４を摘んで引き上げると、破断線５８ｂが破断し、図５（ａ）に示すように、底蓋部７４で塞がれていた箱体の端部が開放する。
【００２７】
底蓋部７４側を開封した状態で、開封用側面板１８から切り離された開封部６４は、折罫線５８ａを介して底蓋部７４の一端部（及び内側底蓋片６０の端部）と連続している。また、開封部６４は、図６に示すように、幅方向の両縁部に外向き突起部８２ａ，８２ｂが一対に形成される。外向き突起部８２ａ，８２ｂは、開封用破断線６２が破断したとき、Ｌ字状切目６２ａ，６２ｂによりその屈曲部分の内側に発生する開封用破断線６２に沿う基材の切り残し部のバリであり、一対の外向き突起部８２ａ，８２ｂの先端部同士の間隔は、一対の内向き突起部６５ａ，６５ｂの基端部同士の間隔よりも長い。
【００２８】
開封した底蓋部７４を再封するときは、サイドフラップ４８，７０を９０°に正折りし、図５（ｂ）に示すように、底蓋部７４を９０°に正折りし、開封部６４を僅かに外側に開いた状態で、開封用側面板１８の一対の内向き突起部６５ａ，６５ｂ間押し込む。この後、外側底蓋片４０が折罫線４２部分の弾性等により、外側底蓋片４０が僅かに浮き上がり、僅かに外側に開いた状態の開封部６４の肩部が、内向き突起部６５ａ，６５ｂの下端縁に対して互いに交差して当接し、係止される。さらに、図６に示すように、外側底蓋片４０がさらに僅かに浮き上がって、開封部６４の外向き突起部８２ａ，８２ｂが内向き突起部６２ａ，６２ｂに係合し、底蓋部７４で箱体の端部を閉鎖状態を維持することができる。このとき、外向き突起部８２ａ，８２ｂと内向き突起部６５ａ．６５ｂは、上述した寸法条件を満たしているため、箱体が変形していなくても確実に引っ掛かり、一定の強度で係合することができる。
【００２９】
以上説明したように、再封可能な包装箱１０は、半切り線を設ける等の特別な加工が不要な構造であり、組み立て易く包装の作業性もよいものである。また、底蓋部７４側の構造は、開封の操作が容易で、開封した底蓋部７４を簡易的に再封することができ、しかも、所定形状の外向き突起部８２ａ，８２ｂと内向き突起部６２ａ，６２ｂとが一定の強度で係合するため、再封状態が保持されやすい。
【００３０】
なお、本考案の再封可能な包装箱は、上記実施形態に限定されるものではない。例えば、上記の再封可能な包装箱１０は、開封用破断線６２に設けたＬ字状切目６２ａ，６２ｂによって外向き突起部６５ａ，６５ｂが形成される構成であるが、Ｌ字状切目以外の切目によって、開封部６４の側方に突出する一対の外向き突起部を形成しても良く、開封用破断線の切り残し部により発生するバリにより、同様の働きをする外向き突起部が形成されるようにしてもよい。さらに、一対の内向き突起部６５ａ，６５ｂにより形成される開封部６４の肩部である側方への突起部分により、一対の外向き突起部を兼用する構造でもよく、開封部６４の両肩部に形成された側方への凹凸部により係止する構造でも良い。
【００３１】
蓋部は、開封した状態で、一端部が開封用側面板から切り離された開封部と連続するものであればよく、上記の底蓋部７４の構成に限定されない。ここで、「連続する」とは、１つ基材として連続するものでもよいし、分離している基材が糊付けされて連続するものでもよい。したがって、蓋部を形成するための蓋片の数や形状等は自由に変更することができ、例えば、上記の特許文献１の易開封密封カートンのように、箱体の一端を塞ぐ面の一部分が開閉用の蓋部として使用されるようにしてもよい。また、上記の包装箱１０の底蓋部８０側の構造を、商品を出し入れする天蓋部側に設けてもよい。
【符号の説明】
【００３２】
１０  再封可能な包装箱
１２  箱体形成片
１４  側面板
１６，２０  側面板
１８  開封用側面板
５８  開封用端辺
６２  開封用破断線
６２ａ，６２ｂ  Ｌ字状切目
６４  開封部
６５ａ，６５ｂ  一対の内向き突起部
７４  底蓋部
８２ａ，８２ｂ  一対の外向き突起部
【図１】
0003200022.tif 000003
【図２】
0003200022.tif 000004
【図３】
0003200022.tif 000005
【図４】
0003200022.tif 000006
【図５】
0003200022.tif 000007
【図６】
0003200022.tif 000008
【手続補正書】
【提出日】平成27年7月21日(2015.7.21)
【手続補正１】
【補正対象書類名】明細書
【補正対象項目名】０００６
【補正方法】変更
【補正の内容】
【０００６】
本考案は、一枚のブランクシートから一体的に打ち抜かれた箱体形成片から成り、この箱体形成片は、側面板と蓋部を形成するための蓋片とを有し、前記側面板の中の１つである開封用側面板は、前記蓋部側の端辺である開封用端辺の内側に、前記開封用端辺と略Ｕ字状の開封用破断線とで囲まれた開封部が設けられ、前記開封部は、前記開封用端辺側の端部が他の部分より幅狭に形成され、これにより、前記開封用側面板の前記開封用端辺の位置に、前記開封用破断線で区切られた内向き突起部が一対に設けられ、前記開封用破断線は、使用者が前記開封用破断線を破断させたとき、前記開封部の幅方向の両縁部に外向き突起部が一対に形成されるように設けられ、
組み立てた状態で、前記側面板により筒体が形成され、前記筒体の前記開封用端辺側の開口端が前記蓋部により閉鎖され、使用者が前記開封部を押し込んで前記開封用破断線を破断させ、前記蓋部を引き上げて前記開封用端辺から離間させて開封した状態で、前記開封用側面板から切り離された前記開封部が前記蓋部に連続し、前記開封部に形成された前記一対の外向き突起部の先端部同士の間隔が、前記一対の内向き突起部の基端部同士の間隔よりも長く、前記開封部に形成された前記一対の外向き突起部を前記一対の内向き突起部に係合させることにより、前記蓋部を再封できる再封可能な包装箱である。
【手続補正２】
【補正対象書類名】実用新案登録請求の範囲
【補正対象項目名】請求項１
【補正方法】変更
【補正の内容】
【請求項１】
一枚のブランクシートから一体的に打ち抜かれた箱体形成片から成り、この箱体形成片は、側面板と蓋部を形成するための蓋片とを有し、
前記側面板の中の１つである開封用側面板は、前記蓋部側の端辺である開封用端辺の内側に、前記開封用端辺と略Ｕ字状の開封用破断線とで囲まれた開封部が設けられ、
前記開封部は、前記開封用端辺側の端部が他の部分より幅狭に形成され、前記開封用側面板の前記開封用端辺の位置に、前記開封用破断線で区切られた内向き突起部が一対に設けられ、
前記開封用破断線は、使用者が前記開封用破断線を破断させた状態で、前記開封部の幅方向の両縁部に外向き突起部が一対に形成されるように設けられ、
組み立てた状態で、前記側面板により筒体が形成され、前記筒体の前記開封用端辺側の開口端が前記蓋部により閉鎖され、
使用者が前記開封部を押し込んで前記開封用破断線を破断させ、前記蓋部を引き上げて前記開封用端辺から離間させて開封した状態で、前記開封用側面板から切り離された前記開封部が前記蓋部に連続し、前記開封部に形成された前記一対の外向き突起部の先端部同士の間隔が、前記一対の内向き突起部の基端部同士の間隔よりも長く、前記開封部に形成された前記一対の外向き突起部を前記一対の内向き突起部に係合させることにより、前記蓋部を再封可能としたことを特徴とする再封可能な包装箱。